(57)【要約】【課題】種々の辞書データベースを記憶して各種言語の例文や説明情報などを検索表示するための例文表示制御装置で、入力された検索語を含む複数の例文が一覧表示された場合でも、各例文中における検索語のある部分を容易に見付けることを可能にする。【解決手段】ユーザ入力された検索語「length」「of」を含む例文が指定の辞書データ（例えば「ＬＡＡＤ」）から検索されると、センタリング表示モードでは当該検索された各例文がそれぞれその１番目検索語「length」のある部分を中央Ｃ0に位置させ各行毎に配列した検索例文一覧表示画面Ｇとして生成表示され、通常表示モードでは同検索された各例文がそれぞれその例文先頭から各行毎に配列した検索例文一覧表示画面Ｇｎとして生成表示されるので、センタリング表示モードでの検索例文一覧表示画面Ｇとすれば、該一覧表示される全ての例文について主要な検索語のある部分を一目で見付けることができる。【選択図】      図５
2007156517.tif 000002
【特許請求の範囲】
【請求項１】
複数の例文を記憶する例文記憶手段と、
ユーザ操作に応じて検索語を入力する検索語入力手段と、
この検索語入力手段により入力された検索語を含む例文を前記例文記憶手段により記憶された複数の例文の中から検索する例文検索手段と、
この例文検索手段により検索された各例文を、当該各例文中に含まれる前記検索語を画面中央に位置させて一覧表示させる検索語中央一覧表示制御手段と、
を備えたことを特徴とする例文表示制御装置。
【請求項２】
前記検索語入力手段は、複数語の検索語を入力する複数語入力手段を有し、
前記例文検索手段は、前記複数語入力手段により入力された複数語の検索語を含む例文を前記例文記憶手段により記憶された複数の例文の中から検索する複数語例文検索手段を有し、
前記検索語中央一覧表示制御手段は、前記複数語例文検索手段により検索された各例文を、当該各例文中に含まれる前記複数語の検索語のうちの先頭の検索語を画面中央に位置させて一覧表示させる先頭検索語中央一覧表示制御手段を有する、
ことを特徴とする請求項１に記載の例文表示制御装置。
【請求項３】
さらに、
前記例文検索手段により検索された各例文をその先頭から一覧表示させる通常一覧表示制御手段と、
前記検索語中央一覧表示制御手段による表示制御と前記通常一覧表示制御手段による表示制御とをユーザ操作に応じて切り替える表示制御切替手段と、
を備えたことを特徴とする請求項１または請求項２に記載の例文表示制御装置。
【請求項４】
前記一覧表示制御手段は、各例文中に含まれる先頭の検索語を識別して表示させる第１検索語識別表示制御手段を有することを特徴とする請求項１乃至請求項３の何れか１項に記載の例文表示制御装置。
【請求項５】
前記一覧表示制御手段は、各例文中に含まれる先頭以外の検索語を識別して表示させる第２以降検索語識別表示制御手段を有することを特徴とする請求項４に記載の例文表示制御装置。
【請求項６】
前記例文記憶手段は、複数の例文を当該例文中に含まれる重要語を識別可能な状態で記憶し、
前記一覧表示制御手段は、前記例文検索手段により検索された各例文を、前記重要語の含まれる例文を先頭にして一覧表示させる重要例文先頭表示制御手段を有する、
ことを特徴とする請求項１乃至請求項５の何れか１項に記載の例文表示制御装置。
【請求項７】
複数の例文を記憶する例文記憶手段と、表示部とを備えたテキスト表示装置のコンピュータを制御するための例文表示制御プログラムであって、
前記コンピュータを、
ユーザ操作に応じて検索語を入力する検索語入力手段、
この検索語入力手段により入力された検索語を含む例文を前記例文記憶手段により記憶された複数の例文の中から検索する例文検索手段、
この例文検索手段により検索された各例文を、当該各例文中に含まれる前記検索語を画面中央に位置させて前記表示部に対し一覧表示させる検索語中央一覧表示制御手段、
として機能させるようにしたコンピュータ読み込み可能な例文表示制御プログラム。
【請求項８】
複数の例文を記憶する例文記憶手段と、
ユーザ操作に応じた検索語を外部機器から入力する検索語入力手段と、
この検索語入力手段により入力された検索語を含む例文を前記例文記憶手段により記憶された複数の例文の中から検索する例文検索手段と、
この例文検索手段により検索された各例文を、当該各例文中に含まれる前記検索語を画面中央に位置させて一覧表示させる表示データとして生成する検索語中央一覧表示生成手段と、
この検索語中央一覧表示生成手段により生成された表示データを前記外部機器に送信する表示データ送信手段と、
を備えたことを特徴とする例文検索装置。
【請求項９】
外部機器とデータ通信する通信手段と、複数の例文を記憶する例文記憶手段とを備えた例文検索装置のコンピュータを制御するための検索制御プログラムであって、
前記コンピュータを、
ユーザ操作に応じた検索語を外部機器から入力する検索語入力手段、
この検索語入力手段により入力された検索語を含む例文を前記例文記憶手段により記憶された複数の例文の中から検索する例文検索手段、
この例文検索手段により検索された各例文を、当該各例文中に含まれる前記検索語を画面中央に位置させて一覧表示させる表示データとして生成する検索語中央一覧表示生成手段、
この検索語中央一覧表示生成手段により生成された表示データを前記外部機器に送信する表示データ送信手段、
として機能させるようにしたコンピュータ読み込み可能な検索制御プログラム。
【発明の詳細な説明】
【技術分野】
【０００１】
本発明は、電子データ化した種々の辞書データベースを記憶して各種言語の例文やその説明情報などを検索表示するための例文表示制御装置、例文表示制御プログラム、例文検索装置、および検索制御プログラムに関する。
【背景技術】
【０００２】
従来から、国語辞典，英和辞典，百科事典などの各種の辞典や辞書を電子データ化してＲＯＭなどの記憶媒体に格納し、これに基づき各種の言語や語句を検索語として入力し、その訳語や説明情報、例文などを検索して表示するようにした電子辞書装置が広く汎用されている。
【０００３】
そして、このような電子辞書装置において、入力された検索語を含む例文を検索表示するための機能について種々の提案がなされている。
【０００４】
例えばその１つの例文検索機能として、検索語として入力された単語に適した例文を辞書データベースから検索して表示させるものがある（例えば、特許文献１参照。）。
【０００５】
また、検索語として複数の単語が入力された場合に、当該入力された複数の単語がその入力順に含まれる例文を検索して表示させるものがある（例えば、特許文献２参照。）。
【０００６】
そして、これらの例文検索機能によって検索表示される例文は、常にその検索された例文の先頭から表示される。
【特許文献１】特開２００４−２１３３４２号公報
【特許文献２】特開２００４−２０６５５２号公報
【発明の開示】
【発明が解決しようとする課題】
【０００７】
従来の電子辞書装置における例文検索機能にあっては、検索された例文は常にその文の先頭から表示されるものであるために、当該一例文が長くこの文に含まれる検索語が後の方に位置した場合や表示画面上での例文表示領域そのものが狭い場合、検索語のある部分まで表示画面上に表示しきれず、スクロール操作が必要になることがある。
【０００８】
特に、辞書データベースから検索語を含む複数の例文が検索され、各例文が表示画面上の各行毎に一覧表示される場合、一文の表示可能長さは表示画面の一行分のみに限られるため、検索語のある部分まで表示画面上に表示しきれない例文が数多く発生してしまう。
【０００９】
また、検索表示された個々の例文によって検索語のある部分は文中前後様々であるため、その検索語のある部分を一目では見付け難い問題がある。
【００１０】
本発明は、このような課題に鑑みなされたもので、入力された検索語を含む複数の例文が一覧表示された場合でも、各例文中における検索語のある部分を容易に見付けることが可能になる例文表示制御装置、例文表示制御プログラム、例文検索装置、および検索制御プログラムを提供することを目的とする。
【課題を解決するための手段】
【００１１】
請求項１に記載の例文表示制御装置は、複数の例文を記憶する例文記憶手段と、ユーザ操作に応じて検索語を入力する検索語入力手段と、この検索語入力手段により入力された検索語を含む例文を前記例文記憶手段により記憶された複数の例文の中から検索する例文検索手段と、この例文検索手段により検索された各例文を、当該各例文中に含まれる前記検索語を画面中央に位置させて一覧表示させる検索語中央一覧表示制御手段と、を備えたことを特徴としている。
【００１２】
請求項２に記載の例文表示制御装置は、前記請求項１に記載の例文表示制御装置において、前記検索語入力手段は、複数語の検索語を入力する複数語入力手段を有し、前記例文検索手段は、前記複数語入力手段により入力された複数語の検索語を含む例文を前記例文記憶手段により記憶された複数の例文の中から検索する複数語例文検索手段を有し、前記検索語中央一覧表示制御手段は、前記複数語例文検索手段により検索された各例文を、当該各例文中に含まれる前記複数語の検索語のうちの先頭の検索語を画面中央に位置させて一覧表示させる先頭検索語中央一覧表示制御手段を有する、ことを特徴としている。
【００１３】
請求項３に記載の例文表示制御装置は、前記請求項１または請求項２に記載の例文表示制御装置において、さらに、前記例文検索手段により検索された各例文をその先頭から一覧表示させる通常一覧表示制御手段と、前記検索語中央一覧表示制御手段による表示制御と前記通常一覧表示制御手段による表示制御とをユーザ操作に応じて切り替える表示制御切替手段と、を備えたことを特徴としている。
【００１４】
請求項４に記載の例文表示制御装置は、前記請求項１乃至請求項３の何れか１項に記載の例文表示制御装置において、前記一覧表示制御手段は、各例文中に含まれる先頭の検索語を識別して表示させる第１検索語識別表示制御手段を有することを特徴としている。
【００１５】
請求項５に記載の例文表示制御装置は、前記請求項４に記載の例文表示制御装置において、前記一覧表示制御手段は、各例文中に含まれる先頭以外の検索語を識別して表示させる第２以降検索語識別表示制御手段を有することを特徴としている。
【００１６】
請求項６に記載の例文表示制御装置は、前記請求項１乃至請求項５の何れか１項に記載の例文表示制御装置において、前記例文記憶手段は、複数の例文を当該例文中に含まれる重要語を識別可能な状態で記憶し、前記一覧表示制御手段は、前記例文検索手段により検索された各例文を、前記重要語の含まれる例文を先頭にして一覧表示させる重要例文先頭表示制御手段を有する、ことを特徴としている。
【００１７】
請求項７に記載の例文表示制御プログラムは、複数の例文を記憶する例文記憶手段と、表示部とを備えたテキスト表示装置のコンピュータを制御するための例文表示制御プログラムであって、前記コンピュータを、ユーザ操作に応じて検索語を入力する検索語入力手段、この検索語入力手段により入力された検索語を含む例文を前記例文記憶手段により記憶された複数の例文の中から検索する例文検索手段、この例文検索手段により検索された各例文を、当該各例文中に含まれる前記検索語を画面中央に位置させて前記表示部に対し一覧表示させる検索語中央一覧表示制御手段、として機能させることを特徴としている。
【００１８】
請求項８に記載の例文検索装置は、複数の例文を記憶する例文記憶手段と、ユーザ操作に応じた検索語を外部機器から入力する検索語入力手段と、この検索語入力手段により入力された検索語を含む例文を前記例文記憶手段により記憶された複数の例文の中から検索する例文検索手段と、この例文検索手段により検索された各例文を、当該各例文中に含まれる前記検索語を画面中央に位置させて一覧表示させる表示データとして生成する検索語中央一覧表示生成手段と、この検索語中央一覧表示生成手段により生成された表示データを前記外部機器に送信する表示データ送信手段と、を備えたことを特徴としている。
【００１９】
請求項９に記載の検索制御プログラムは、外部機器とデータ通信する通信手段と、複数の例文を記憶する例文記憶手段とを備えた例文検索装置のコンピュータを制御するための検索制御プログラムであって、前記コンピュータを、ユーザ操作に応じた検索語を外部機器から入力する検索語入力手段、この検索語入力手段により入力された検索語を含む例文を前記例文記憶手段により記憶された複数の例文の中から検索する例文検索手段、この例文検索手段により検索された各例文を、当該各例文中に含まれる前記検索語を画面中央に位置させて一覧表示させる表示データとして生成する検索語中央一覧表示生成手段、この検索語中央一覧表示生成手段により生成された表示データを前記外部機器に送信する表示データ送信手段、として機能させることを特徴としている。
【発明の効果】
【００２０】
本発明の請求項１（請求項７）に記載の例文表示制御装置（例文表示制御プログラム）によれば、ユーザ操作に応じた検索語が入力されると、この入力された検索語を含む例文が例文記憶手段により記憶された複数の例文の中から検索される。そして、この検索された各例文は、当該各例文中に含まれる前記検索語を画面中央に位置させて一覧表示されるので、一覧表示される全ての例文について、ユーザ入力された検索語のある部分を一目で見付けることができる。
【００２１】
本発明の請求項２に記載の例文表示制御装置によれば、前記請求項１に記載の例文表示制御装置において、ユーザ操作に応じて複数語の検索語が入力された場合には、入力された複数語の検索語を含む例文が例文記憶手段により記憶された複数の例文の中から検索される。そして、この検索された各例文は、当該各例文中に含まれる前記複数語の検索語のうちの先頭の検索語を画面中央に位置させて一覧表示されるので、一覧表示される全ての例文について、ユーザ入力された主要な検索語のある部分を一目で見付けることができる。
【００２２】
本発明の請求項３に記載の例文表示制御装置によれば、前記請求項１または請求項２に記載の例文表示制御装置において、さらに、例文検索手段により検索された各例文をその先頭から一覧表示させる通常一覧表示制御手段と、この通常一覧表示制御手段による通常一覧表示制御と前記検索語中央一覧表示制御手段による検索語を画面中央に位置させた表示制御とをユーザ操作に応じて切り替える表示制御切替手段とを備えたので、検索された各例文の通常一覧表示と検索語中央一覧表示とを簡単に切り替えて表示させることができる。
【００２３】
本発明の請求項４に記載の例文表示制御装置によれば、前記請求項１乃至請求項３の何れか１項に記載の例文表示制御装置において、検索された各例文の一覧表示制御手段では、各例文中に含まれる先頭の検索語が、文字体や文字色変更などにより識別表示されるので、一覧表示される全ての例文について、ユーザ入力された検索語のある部分をより明確にして一目で見付けることができる。
【００２４】
本発明の請求項５に記載の例文表示制御装置によれば、前記請求項４に記載の例文表示制御装置において、検索された各例文の一覧表示制御手段では、各例文中に含まれる先頭以外の検索語をも、文字体や文字色変更などにより識別表示されるので、一覧表示される全ての例文について、ユーザ入力された検索語のある各部分をより明確にして一目で見付けることができる。
【００２５】
本発明の請求項６に記載の例文表示制御装置によれば、前記請求項１乃至請求項５の何れか１項に記載の例文表示制御装置において、例文記憶手段では、複数の例文が当該例文中に含まれる重要成句などの重要語を太字体などによって識別可能な状態にして記憶され、検索された各例文の一覧表示制御手段では、例文検索手段により検索された各例文が、前記重要語の含まれる例文を先頭にして一覧表示されるので、例文検索においてその検索語自体が重要語として含まれる学習上重要な例文を優先位置にして一覧表示させることができる。
【００２６】
本発明の請求項８（請求項９）に記載の例文検索装置（検索制御プログラム）によれば、ユーザ操作に応じた検索語が携帯機器などの外部機器から入力されると、この入力された検索語を含む例文が例文記憶手段により記憶された複数の例文の中から検索される。そして、この検索された各例文は、当該各例文中に含まれる前記検索語を画面中央に位置させて一覧表示させる表示データとして生成され、前記外部機器に送信されて表示されるので、複数例文のデータベースを自己所有しない携帯機器（外部機器）であっても、検索語入力により応答一覧表示される全ての例文について、ユーザ入力された検索語のある部分を一目で見付けることができる。
【００２７】
よって本発明によれば、入力された検索語を含む複数の例文が一覧表示された場合でも、各例文中における検索語のある部分を容易に見付けることが可能になる例文表示制御装置、例文表示制御プログラム、例文検索装置、および検索制御プログラムを提供できる。
【発明を実施するための最良の形態】
【００２８】
以下図面により本発明の実施の形態について説明する。
【００２９】
（第１実施形態）
図１は、本発明の例文表示制御装置の実施形態に係る携帯機器（電子辞書）１０の電子回路の構成を示すブロック図である。
【００３０】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。
【００３１】
この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００３２】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００３３】
前記ＣＰＵ１１には、前記メモリ１２、記憶媒体読取部１４、通信部１５、入力部１６が接続される他に、ＬＣＤからなる表示部１７などが接続される。
【００３４】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、必要な辞書データを辞書管理用のＷｅｂサーバ２０やメモリカード（記憶媒体）１３からダウンロードしたり、辞書データ（１２ｂ）に基づき検索語入力に応じた見出語の訳語や意味内容などの各種説明情報を検索表示したり、またその検索見出語の使用例文を検索表示したりするための辞書制御プログラム１２ａが記憶される。
【００３５】
また、このメモリ１２には、辞書データメモリ１２ｂ、検索語データメモリ１２ｃ、レイアウト設定（通常／センタリング）メモリ１２ｄ、ワークエリア１２ｅなどが用意される。
【００３６】
辞書データメモリ１２ｂには、「国語辞典」「漢和辞典」「英和辞典」「英英辞典」「和英辞典」など、種類の異なる多数の辞書データが予め、あるいはダウンロードされて複数辞書記憶されるもので、例えば英語系の辞典として「ロン＊マン英語辞典」「ジ＊ニアス英和辞典」などが記憶される。
【００３７】
検索語データメモリ１２ｃには、辞書データ１２ｂの検索処理に伴い検索対象の言語・語句としてユーザ入力された単語などが検索語として記憶される。
【００３８】
レイアウト設定（通常／センタリング）メモリ１２ｄには、検索語（１２ｃ）を含む例文検索表示に伴い当該検索された例文を先頭から通常通りのレイアウトとして表示させるための通常表示モード（フラグ“１”）と、例文中に含まれる検索語を中央にレイアウトして表示させるためのセンタリング表示モード（フラグ“２”）との何れかのモードフラグデータがユーザ選択に応じて設定記憶される。
【００３９】
ワークエリア１２ｅには、前記辞書制御プログラム１２ａなどの各種の装置制御プログラムに従いＣＰＵ１１に入出力される種々のデータが必要に応じて記憶されるもので、例えば例文検索処理に伴い検索された複数の例文が記憶される。
【００４０】
入力部１６のキーボードパネルには、ひらがな，カタカナ，漢字，英数字を任意入力するための一連の文字入力キーが配列されると共に、辞書データメモリ１２ｂに記憶されている指定の辞書を対象にして入力検索語に対応する見出語およびその説明情報の検索を行うための「訳／決定」キー、同例文検索を行うための「例文」キー、例文検索に伴う通常表示モードとセンタリング表示モードの切り替え行うための「レイアウト」キー１６ａ（図５参照）などが備えられる。
【００４１】
次に、前記構成の携帯機器（電子辞書）１０による例文表示制御機能について説明する。
【００４２】
図２は、前記携帯機器（電子辞書）１０による辞書検索処理に伴う第１実施形態の例文検索処理を示すフローチャートである。
【００４３】
図３は、前記携帯機器（電子辞書）１０による第１実施形態の例文検索処理に伴う１例文表示処理を示すフローチャートである。
【００４４】
図４は、前記携帯機器（電子辞書）１０による第１実施形態の例文検索処理に伴うセンタリング表示モードでの検索例文一覧表示画面Ｇを示す図である。
【００４５】
図５は、前記携帯機器（電子辞書）１０による第１実施形態の例文検索処理に伴うセンタリング表示モードでの検索例文一覧表示画面Ｇと通常表示モードでの検索例文一覧表示画面Ｇｎとの切り替え表示動作を示す図である。
【００４６】
入力部１６の文字入力キーがユーザにより操作されて例えば「length」と「of」の２つの単語が検索語として入力されると（ステップＳ１）、このユーザ入力された各検索語は、その入力された順番で１番目検索語「length」と２番目検索語「of」として検索語データメモリ１２ｂに記憶され保存される（ステップＳ２）。
【００４７】
ここで、例えば辞書データメモリ１２ｂに記憶されている英語系の複数辞書に基づき例文検索を行う場合は、最初にその先頭の辞書（例えば「ロン＊マン英語辞典」ＬＡＡＤ）が指定される（ステップＳ３）。
【００４８】
そして、この指定された「ロン＊マン英語辞典」の辞書データ（１２ｂ）から前記検索語データメモリ１２ｃに保存された全ての検索語（この場合「length」と「of」）をその順番通りに含む例文（複数ある場合は全ての例文）が検索され、その検索順にワークエリア１２ｅに記憶され保存される（ステップＳ４）。
【００４９】
すると、前記ワークエリア１２ｅに保存された例文がその先頭から１つ読み出され（ステップＳ５）、当該例文のレイアウト表示を制御するための図３における１例文表示処理へ移行される（ステップＳＡ）。
【００５０】
なお、辞書データ１２ｂとして記憶されている各単語には全て対応する番号タグが付加されており、前記ステップＳ４での検索処理にあっては、検索語として入力された単語に対応する番号タグを含む例文を検索することで、当該検索語を含む例文を容易に検索処理することができる。
【００５１】
図３における１例文表示処理が起動されると、レイアウト設定（通常／センタリング）メモリ１２ｄに記憶されている例文レイアウト表示のモードデータがセンタリング表示モードであるか否（通常表示モード）かが判断される（ステップＡ１）。
【００５２】
ここで、センタリング表示モードに設定されていると判断された場合には（ステップＡ１（Ｙｅｓ））、前記ステップＳ５にて読み出された１つの例文中における１番目検索語「length」の位置が特定され（ステップＡ２）、例えば図４あるいは図５（Ａ）における検索例文一覧表示画面Ｇでの反転カーソルＫの位置で示すように、特定された１番目検索語「length」の位置が表示画面の中央Ｃ0に位置するように該当の一つの例文全体の位置がその前後方向にずらされて表示される（ステップＡ３）。
【００５３】
このステップＡ３におけるセンタリング表示モードでの１例文表示の処理においては、縮小文字サイズでの表示となり、表示画面内に多数の例文表示が成されるように設定される。
【００５４】
一方、前記ステップＡ１において、レイアウト設定（通常／センタリング）メモリ１２ｄに記憶されている例文レイアウト表示のモードデータがセンタリング表示モードではなく通常表示モードに設定されていると判断された場合には（ステップＡ１（Ｎｏ））、前記ステップＳ５にて読み出された１つの例文は、例えば図５（Ｂ）における通常表示モードでの検索例文一覧表示画面Ｇｎにて示すように、その文先頭を表示画面の左端に合わせて通常表示される（ステップＡ４）。
【００５５】
このステップＡ４における通常表示モードでの１例文表示の処理においては、通常文字サイズでの表示となる。
【００５６】
そして、前記１例文表示処理（ステップＳＡ）によって１例文の表示が行われると、前記ワークエリア１２ｅに検索保存されている未表示の次の例文があるか否かが判断され（ステップＳ６）、未表示の次の例文があると判断された場合には（ステップＳ６（Ｙｅｓ））、前記検索例文一覧表示画面Ｇ（またはＧｎ）に表示の空きエリアがあるか否かが判断される（ステップＳ７）。
【００５７】
そして、検索例文一覧表示画面Ｇ（またはＧｎ）に表示の空きエリアがあると判断された場合には（ステップＳ７（Ｙｅｓ））、前記ワークエリア１２ｅに検索保存されている未表示の次の例文が読み出され（ステップＳ５）、前記同様に、当該読み出された例文のレイアウト表示を制御するための図３における１例文表示処理へ再移行される（ステップＳＡ）。
【００５８】
そして、センタリング表示モードでの１例文表示処理では、前記同様にステップＡ１〜Ａ３の処理を経て、図４あるいは図５（Ａ）で示したように、今回読み出された１例文がその検索語のある部分を表示画面の中央にして検索例文一覧表示画面Ｇ上の空きエリア最上段に追加表示され、また、通常表示モードでの１例文表示処理では、前記同様にステップＡ１→Ａ４の処理を経て、図５（Ｂ）で示したように、今回読み出された１例文が先頭から検索例文一覧表示画面Ｇｎ上の空きエリア最上段に追加表示される。
【００５９】
この後、前記ステップＳ６において、ワークエリア１２ｅに検索保存されている未表示の次の例文が無くなったと判断されるか（ステップＳ６（Ｎｏ））、または当該次の検索例文が有ると判断された場合であっても（ステップＳ６（Ｙｅｓ））、前記検索例文一覧表示画面Ｇ（またはＧｎ）に表示の空きエリアが無くなった判断された場合には（ステップＳ７（Ｎｏ））、この検索例文一覧表示画面Ｇ（またはＧｎ）上にて一覧表示されている複数の例文のうちの先頭の例文が反転カーソルＫによって指定表示される（ステップＳ８）。
【００６０】
そして、この反転カーソルＫによって指定表示されたところの１例文の全文が前記ワークメモリ１２ｅから読み出され、検索例文一覧表示画面Ｇ（またはＧｎ）の下の領域に設定されたプレビュー画面Ｐ（またはＰｎ）に表示される（ステップＳ９）。
【００６１】
なお、前記センタリング表示モードでの検索例文一覧表示画面Ｇ（図４あるいは図５（Ａ）参照）、または通常表示モードでの検索例文一覧表示画面Ｇｎ（図５（Ｂ）参照）にあって、その画面上部には指定辞書切替タブＴ１〜Ｔ３が設けられており、現在の検索対象辞書として指定中の辞書（この場合「ロン＊マン英語辞典」）の切替タブ「ＬＡＡＤ」Ｔ１は反転されて表示される。
【００６２】
また、前記辞書データ１２ｂに記憶されている全ての例文において、例文中に含まれている重要単語や重要成句などの重要語は、その綴り文字が太文字などの強調文字で記述されており、前記図４あるいは図５（Ａ）（Ｂ）で示すように、検索例文一覧表示画面Ｇ（Ｇｎ）に一覧表示された場合にも強調表示Ｈされて示される。
【００６３】
この後、例えばレイアウト設定（通常／センタリング）メモリ１２ｄにフラグ“２”がセットされている、図５（Ａ）で示したようなセンタリング表示モードでの検索例文一覧表示画面Ｇの表示状態にあって、入力部１６における「レイアウト」キー１６ａが操作されたと判断されると（ステップＳ１０（Ｙｅｓ））、現在の表示モードは通常表示モード（フラグ“１”）ではないと判断されることで（ステップＳ１１（Ｎｏ））、前記レイアウト設定（通常／センタリング）メモリ１２ｄにセットされていたフラグ“２”が“１”に切り替えセットされ、通常表示モードに設定される（ステップＳ１３）。
【００６４】
すると、前記ステップＳ５〜Ｓ９での処理に従い、通常表示モードでの１例文表示処理（ステップＡ１→Ａ４）を経て、前記ワークエリア１２ｅにて検索保存されている各例文が、図５（Ｂ）に示すような通常表示モードでの検索例文一覧表示画面Ｇｎにおいて順次その例文先頭から標準文字サイズで一覧表示されると共に、当該画面Ｇｎ上の先頭例文が反転カーソルＫにより指定表示されプレビュー画面Ｐｎにプレビュー表示される。
【００６５】
一方これとは逆に、例えばレイアウト設定（通常／センタリング）メモリ１２ｄにフラグ“１”がセットされている、図５（Ｂ）で示したような通常表示モードでの検索例文一覧表示画面Ｇｎの表示状態にあって、入力部１６における「レイアウト」キー１６ａが操作されたと判断されると（ステップＳ１０（Ｙｅｓ））、現在の表示モードは通常表示モードであると判断されることで（ステップＳ１１（Ｙｅｓ））、前記レイアウト設定（通常／センタリング）メモリ１２ｄにセットされていたフラグ“１”が“２”に切り替えセットされ、センタリング表示モードに設定される（ステップＳ１２）。
【００６６】
すると、前記ステップＳ５〜Ｓ９での処理に従い、センタリング表示モードでの１例文表示処理（ステップＡ１〜Ａ３）を経て、前記ワークエリア１２ｅにて検索保存されている各例文が、図５（Ａ）に示すようなセンタリング表示モードでの検索例文一覧表示画面Ｇにおいて順次その検索語「length」のある部分を中央位置にして縮小文字サイズで一覧表示されると共に、当該画面Ｇ上の先頭例文が反転カーソルＫにより指定表示されプレビュー画面Ｐにプレビュー表示される。
【００６７】
すなわち、入力部１６の「レイアウト」キー１６ａを１キー操作するだけで、図５（Ａ）に示すようなセンタリング表示モードでの検索例文一覧表示画面Ｇと図５（Ｂ）に示すような通常表示モードでの検索例文一覧表示画面Ｇｎとを容易に切り替えて見ることができる。
【００６８】
また、前記図５（Ａ）または図５（Ｂ）で示したようなセンタリング表示モードでの検索例文一覧表示画面Ｇまたは通常表示モードでの検索例文一覧表示画面Ｇｎの表示状態にあって、入力部１６における上下方向のカーソルキーの何れかが操作されたと判断された場合には（ステップＳ１４（Ｙｅｓ））、当該検索例文一覧表示画面Ｇ（またはＧｎ）上での反転カーソルＫによる例文指定位置が、前記カーソルキーにより指示された上方向または下方向に移動表示され（ステップＳ１５）、この移動表示後の反転カーソルＫにより指定されている例文がプレビュー画面Ｐにてプレビュー表示される（ステップＳ１６）。
【００６９】
そして、前記検索例文一覧表示画面Ｇ（またはＧｎ）上での反転カーソルＫをカーソルキーにより移動表示させている場合に、例えば反転カーソルＫが当該検索例文一覧表示画面Ｇ（またはＧｎ）上の最下段の例文位置まで到達することで表示スクロールしたと判断された場合には（ステップＳ１７（Ｙｅｓ））、前記ワークエリア１２ｅに検索保存されている未表示の次の１例文が読み出される（ステップＳ１８）。
【００７０】
そして、前記図３における１例文表示処理（ステップＳＡ）を経て、新たに読み出された未表示の次の１例文が、センタリング表示モードの場合には検索例文一覧表示画面Ｇの最下段にその検索語のある部分を中央にして縮小文字サイズで追加表示され（ステップＡ〜Ａ３）、通常表示モードの場合には検索例文一覧表示画面Ｇｎの最下段にその例文先頭から通常文字サイズで追加表示される（ステップＡ１→Ａ４）。
【００７１】
すると、当該追加表示された例文が反転カーソルＫによって指定表示され（ステップＳ１９）、この指定表示されたところの１例文の全体がプレビュー画面Ｐ（またはＰｎ）に読み出されてプレビュー表示される（ステップＳ９）。
【００７２】
そして、センタリング表示モードまたは通常表示モードでの検索例文一覧表示画面Ｇ（またはＧｎ）上でユーザ任意の例文が反転カーソルＫにより指定表示された状態で、入力部１６における「訳／決定」キーが操作されたと判断されると（ステップＳ２０（Ｙｅｓ））、当該指定の例文とその訳を含む説明情報が現在指定中の辞書データ１２ｂ（この場合「ロン＊マン英語辞典」ＬＡＡＤ）から読み出され、同表示画面に対して全画面表示される（ステップＳ２１）。
【００７３】
このユーザ指定例文の訳および説明情報の全画面表示状態において、入力部１６における「戻り」キーが操作されたと判断されると（ステップＳ２２（Ｙｅｓ））、前記ステップＳ２０にて「訳／決定」キーの操作判断が成される直前の検索例文一覧表示画面Ｇ（またはＧｎ）の表示状態に戻る（ステップＳ２３）。
【００７４】
またさらに、前記図５（Ａ）（Ｂ）で示したようなセンタリング表示モードまたは通常表示モードでの検索例文一覧表示画面Ｇ（またはＧｎ）にあって、現在検索対象となっている辞書データ１２ｂ（この場合「ロン＊マン英語辞典」ＬＡＡＤ）を別の辞書に切り替えるために、入力部１６における左右何れかのカーソルキーが操作されたと判断されると（ステップＳ２４（Ｙｅｓ））、表示画面上部の指定辞書切替タブ「ＬＡＡＤ」Ｔ１にて反転表示されている現在の指定辞書「ロン＊マン英語辞典」が例えばカーソルキー「→」の操作方向に応じた切替タブ「Ｇ英和」Ｔ２に切り替えられて反転表示され、検索対象である指定の辞書が「ジ＊ニアス英和辞典」に切り替えられる（ステップＳ２５）。
【００７５】
すると、この切替指定された検索対象である辞書データ１２ｂ（この場合「ジ＊ニアス英和辞典」）に基づいて前記同様の検索語「length」「of」を含む例文が検索されてワークエリア１２ｅに保存される（ステップＳ４）。
【００７６】
そして、このワークエリア１２ｅに保存された指定辞書「ジ＊ニアス英和辞典」による各例文に基づいて、前記ステップＳ５〜Ｓ９の処理を経て、センタリング表示モードまたは通常表示モードでの検索例文一覧表示画面Ｇ（またはＧｎ）が生成表示され、その先頭の例文が反転カーソルＫにより指定表示される。
【００７７】
したがって、前記構成の携帯機器（電子辞書）１０による第１実施形態の例文検索表示機能によれば、ユーザ入力された検索語「length」「of」を含む例文が指定の辞書データ１２ｂ（例えば「ロン＊マン英語辞典」ＬＡＡＤ）から検索されると、センタリング表示モードでは当該検索された各例文がそれぞれその１番目検索語「length」のある部分を中央Ｃ0に位置させ各行毎に配列した検索例文一覧表示画面Ｇ（図５（Ａ）参照）として生成表示され、通常表示モードでは同検索された各例文がそれぞれその例文先頭から各行毎に配列した検索例文一覧表示画面Ｇｎ（図５（Ｂ）参照）として生成表示されるので、センタリング表示モードでの検索例文一覧表示画面Ｇとすれば、当該一覧表示される全ての例文について、例えその例文が長く主要な検索語（１番目検索語）のある部分が後方に存在していたとしても、該主要な検索語のある部分を一目で見付けることができ、効果的にその使用例文を参照することができる。
【００７８】
また、前記構成の携帯機器（電子辞書）１０による第１実施形態の例文検索表示機能によれば、センタリング表示モードでの検索例文一覧表示画面Ｇと通常表示モードでの検索例文一覧表示画面Ｇｎとは、「レイアウト」キー１６ａの１キー操作に応じて切り替え表示されるので、注目した例文について検索語が中央表示された例文表示と同例文を先頭から表示させた例文表示とを簡単に切り替え、例文中の検索語とその前後関係について容易に確認して学習することができる。
【００７９】
なお、前記第１実施形態の例文検索表示機能では、ユーザ入力される検索語について、複数の単語からなる検索語（例えば「length」「of」）を入力して例文検索可能な構成としたが、１つの単語のみを検索語として入力した場合でも、前記同様にセンタリング表示モードでの検索例文一覧表示画面Ｇと通常表示モードでの検索例文一覧表示画面Ｇｎとによる例文検索表示を行うことができる。
【００８０】
また、前記第１実施形態の例文検索表示機能では、検索対象となる辞書データ１２ｂとして複数の辞書データ１２ｂ（例えば英語系の辞典として「ロン＊マン英語辞典」「ジ＊ニアス英和辞典」など）に基づいた例文検索を可能とし、表示画面上部に設けられた指定辞書切替タブ「ＬＡＡＤ」Ｔ１，「Ｇ英和」Ｔ２，…をカーソル「←」「→」キーの操作に応じて切り替え指定することで、容易に対象辞書を切り替えた複数辞書による例文検索表示を行うことができる。
【００８１】
（第２実施形態）
図６は、前記携帯機器（電子辞書）１０による辞書検索処理に伴う第２実施形態の例文検索処理での新たな追加処理ステップを示すフローチャートである。
【００８２】
図７は、前記携帯機器（電子辞書）１０による第２実施形態の例文検索処理に伴うセンタリング表示モードでの検索例文一覧表示画面Ｇを示す図である。
【００８３】
この第２実施形態の例文検索処理では、前記図３における第１実施形態の例文検索処理に伴う１例文表示処理でのステップＡ３およびＡ４に続く次の処理ステップとして、例文中に含まれる検索語のうち先頭である主要な検索語（１番目検索語）を文字体・文字色変更などによって識別表示するステップＡ５を追加する。
【００８４】
すなわち、図３および図６からなる第２実施形態の１例文表示処理（ステップＡ１〜Ａ５）を経て、例えば図７に示すようにセンタリング表示モードでの検索例文一覧表示画面Ｇが表示されると、当該検索例文一覧表示画面Ｇ上でその中央Ｃ0′に位置されて表示される各例文それぞれに含まれる１番目検索語「length」は、斜体文字により識別表示され、さらに青色表示Ｂにより識別表示される（ステップＳ５〜Ｓ９）。
【００８５】
したがって、前記構成の携帯機器（電子辞書）１０による第２実施形態の例文検索表示機能によれば、検索された各例文を、それぞれその主要な検索語「length」のある部分を文字体・文字色変更などによって識別表示させ、しかもセンタリング表示モードでの検索例文一覧表示画面Ｇでは、当該主要な検索語「length」のある部分を中央Ｃ0′に位置させて一覧表示させるので、一覧表示される全ての例文について、例えその例文が長くても、該主要な検索語のある部分を非常に簡単に一目で見付けることができ、効果的にその使用例文を参照することができる。
【００８６】
（第３実施形態）
図８は、前記携帯機器（電子辞書）１０による辞書検索処理に伴う第３実施形態の例文検索処理での新たな追加処理ステップを示すフローチャートである。
【００８７】
図９は、前記携帯機器（電子辞書）１０による第３実施形態の例文検索処理に伴うセンタリング表示モードでの検索例文一覧表示画面Ｇを示す図である。
【００８８】
この第３実施形態の例文検索処理では、前記図３および図６からなる第２実施形態の例文検索処理に伴う１例文表示処理でのステップＡ５に続く次の処理ステップとして、例文中に含まれる検索語のうち先頭で主要な検索語（１番目検索語）以外の他の検索語（２番目以降検索語）をも、さらに文字体・文字色変更などによって識別表示するステップＡ６を追加する。
【００８９】
すなわち、図３、図６および図８からなる第３実施形態の１例文表示処理（ステップＡ１〜Ａ６）を経て、例えば図９に示すようにセンタリング表示モードでの検索例文一覧表示画面Ｇが表示されると、当該検索例文一覧表示画面Ｇ上でその中央Ｃ0′に位置されて表示される各例文それぞれに含まれる１番目検索語「length」が、斜体文字および青色表示Ｂにより識別表示され（ステップＡ５）、さらにその中央Ｃ0′の前後Ｃ1′に位置されて表示される各例文それぞれに含まれる２番目以降の検索語「of」も、同斜体文字および赤色表示Ｒにより識別表示される（ステップＡ６）。
【００９０】
したがって、前記構成の携帯機器（電子辞書）１０による第３実施形態の例文検索表示機能によれば、検索された各例文を、それぞれその主要な１番目検索語「length」のある部分を文字体・文字色変更などによって識別表示させると共に、２番目以降の検索語「of」についても文字体・文字色変更などによって識別表示させ、しかもセンタリング表示モードでの検索例文一覧表示画面Ｇでは、当該主要な１番目検索語「length」のある部分を中央Ｃ0′に位置させて一覧表示させるので、一覧表示される全ての例文について、例えその例文が長くても、該ユーザ入力された検索語のある各部分を非常に簡単に一目で見付けることができ、より効果的にその使用例文を参照することができる。
【００９１】
（第４実施形態）
図１０は、前記携帯機器（電子辞書）１０による辞書検索処理に伴う第４実施形態の例文検索処理での新たな追加処理ステップを示すフローチャートである。
【００９２】
図１１は、前記携帯機器（電子辞書）１０による第４実施形態の例文検索処理に伴うセンタリング表示モードでの検索例文一覧表示画面Ｇを示す図である。
【００９３】
この第４実施形態の例文検索処理では、前記図２における第１〜第３実施形態共通の例文検索処理でのステップＳ４とＳ５との間の処理ステップとして、辞書検索されてワークエリア１２ｅに保存された各例文について、例文中に含まれる検索語が太文字強調記述される重要語である例文については、その例文を先頭の例文位置に移動させてワークエリア１２ｅに記憶させるステップＳ４ａを追加する。
【００９４】
すなわち、図２、図３、および図１０からなる第４実施形態の例文検索処理（ステップＳ１〜Ｓ９）を経て、例えば図１１に示すようにセンタリング表示モードでの検索例文一覧表示画面Ｇが表示されると、ユーザ入力された検索語「length」「of」に基づき辞書検索された各例文は、その検索語「length」「of」が重要語（この場合は重要成句「for any length of time」）として強調記述Ｈされている例文を枠Ｘで示すように先頭位置に移動させて一覧表示される。
【００９５】
したがって、前記構成の携帯機器（電子辞書）１０による第４実施形態の例文検索表示機能によれば、入力された検索語が辞書検索された例文内で重要成句や単語帳単語などとして予め登録された重要語（Ｈ）として含まれている場合には、その例文は検索例文一覧表示画面Ｇ（Ｇｎ）上の先頭の例文として編集され一覧表示されるので、例文検索においてその検索語自体が重要語として含まれる学習上重要な例文を優先的に表示させることができ、より効果的に検索語としてユーザ入力した単語などの使用例文を参照することができる。
【００９６】
（第５実施形態）
図１２は、前記携帯機器（電子辞書）１０による第５実施形態の例文検索処理に伴うセンタリング表示モードでの検索例文一覧表示画面Ｇと通常表示モードでの検索例文一覧表示画面Ｇｎとの切り替え表示動作を示す図である。
【００９７】
第１実施形態〜第４実施形態の例文検索表示機能では、その何れの実施形態にあっても、例えば図５（Ａ）（Ｂ）で示したように、センタリング表示モードでの検索例文一覧表示画面Ｇについては縮小文字サイズで作成表示させ、通常表示モードでの検索例文一覧表示画面Ｇｎについては通常文字サイズで作成表示させる構成としたが、例えば図１２（Ｂ）に示すように、通常表示モードでの検索例文一覧表示画面Ｇｎにあっては勿論、図１２（Ａ）に示すようなセンタリング表示モードでの検索例文一覧表示画面Ｇに３にあっても通常文字サイズとして見易い文字で一覧表示させる構成としてもよい。
【００９８】
この場合にも、センタリング表示モードでの検索例文一覧表示画面Ｇと通常表示モードでの検索例文一覧表示画面Ｇｎとは、「レイアウト」キー１６ａの１キー操作に応じて切り替え表示される。
【００９９】
なお、前記各実施形態の携帯機器（電子辞書）１０による例文検索表示機能では、当該携帯機器（電子辞書）１０自身が有する辞書データ１２ｂに基づいて、入力部１６からユーザ入力された検索語を含む例文検索処理が実行され、検索例文一覧表示画面Ｇ（Ｇｎ）が生成されて表示出力される構成としたが、インターネット上のＷｅｂサイトとして開設される例えば辞書検索サーバ２０に対して携帯電話などの携帯機器１０から検索語を入力してアクセスし、この辞書検索サーバ２０内において、前記実施形態同様の例文検索処理（含む１例文表示処理）を実行してセンタリング表示モードや通常表示モードでの検索例文一覧表示画面Ｇ（Ｇｎ）の表示データを生成し、当該辞書検索サーバ２０にて生成送信された検索例文一覧表示画面Ｇ（Ｇｎ）の表示データをアクセス元の携帯機器１０側で受信してその表示部１６に表示させるようにしてもよい。
【０１００】
前記各実施形態において記載した携帯機器（電子辞書）１０あるいは辞書管理サーバ２０による各処理の手法、すなわち、図２のフローチャートに示す第１実施形態の例文検索処理、図３のフローチャートに示す前記第１実施形態の例文検索処理に伴う１例文表示処理、図６のフローチャートに示す新たな追加処理を追加した第２実施形態の例文検索処理、図８のフローチャートに示す新たな追加処理を追加した第３実施形態の例文検索処理、図１０のフローチャートに示す新たな追加処理を追加した第４実施形態の例文検索処理などでの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、辞書のデータベース（１２ｂ）を有する種々のコンピュータ端末装置は、この外部記憶媒体１３に記憶されたプログラムを記憶装置（１２）に読み込み、この読み込んだプログラムによって動作が制御されることにより、前記各実施形態において説明した例文検索表示機能を実現し、前述した手法による同様の処理を実行することができる。
【０１０１】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末装置（プログラムサーバ）２０から前記のプログラムデータを取り込み、前述した例文検索表示機能を実現することもできる。
【０１０２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１０３】
【図１】本発明の例文表示制御装置の実施形態に係る携帯機器（電子辞書）１０の電子回路の構成を示すブロック図。
【図２】前記携帯機器（電子辞書）１０による辞書検索処理に伴う第１実施形態の例文検索処理を示すフローチャート。
【図３】前記携帯機器（電子辞書）１０による第１実施形態の例文検索処理に伴う１例文表示処理を示すフローチャート。
【図４】前記携帯機器（電子辞書）１０による第１実施形態の例文検索処理に伴うセンタリング表示モードでの検索例文一覧表示画面Ｇを示す図。
【図５】前記携帯機器（電子辞書）１０による第１実施形態の例文検索処理に伴うセンタリング表示モードでの検索例文一覧表示画面Ｇと通常表示モードでの検索例文一覧表示画面Ｇｎとの切り替え表示動作を示す図。
【図６】前記携帯機器（電子辞書）１０による辞書検索処理に伴う第２実施形態の例文検索処理での新たな追加処理ステップを示すフローチャート。
【図７】前記携帯機器（電子辞書）１０による第２実施形態の例文検索処理に伴うセンタリング表示モードでの検索例文一覧表示画面Ｇを示す図。
【図８】前記携帯機器（電子辞書）１０による辞書検索処理に伴う第３実施形態の例文検索処理での新たな追加処理ステップを示すフローチャート。
【図９】前記携帯機器（電子辞書）１０による第３実施形態の例文検索処理に伴うセンタリング表示モードでの検索例文一覧表示画面Ｇを示す図。
【図１０】前記携帯機器（電子辞書）１０による辞書検索処理に伴う第４実施形態の例文検索処理での新たな追加処理ステップを示すフローチャート。
【図１１】前記携帯機器（電子辞書）１０による第４実施形態の例文検索処理に伴うセンタリング表示モードでの検索例文一覧表示画面Ｇを示す図。
【図１２】前記携帯機器（電子辞書）１０による第５実施形態の例文検索処理に伴うセンタリング表示モードでの検索例文一覧表示画面Ｇと通常表示モードでの検索例文一覧表示画面Ｇｎとの切り替え表示動作を示す図。
【符号の説明】
【０１０４】
１０  …携帯機器（電子辞書）
１１  …ＣＰＵ
１２  …メモリ
１２ａ…辞書制御プログラム
１２ｂ…辞書データメモリ
１２ｃ…検索語データメモリ
１２ｄ…レイアウト（通常／センタリング）設定メモリ
１２ｅ…ワークエリア
１３  …外部記憶媒体
１４  …記憶媒体読取部
１５  …通信部
１６  …入力部
１６ａ…「レイアウト」キー
１７  …表示部
２０  …Ｗｅｂサーバ（辞書管理サーバ）
Ｎ  …通信ネットワーク（インターネット）
Ｃ0 …表示中央位置
Ｔn …指定辞書切替タブ
【図１】
2007156517.tif 000003
【図２】
2007156517.tif 000004
【図３】
2007156517.tif 000005
【図４】
2007156517.tif 000006
【図５】
2007156517.tif 000007
【図６】
2007156517.tif 000008
【図７】
2007156517.tif 000009
【図８】
2007156517.tif 000010
【図９】
2007156517.tif 000011
【図１０】
2007156517.tif 000012
【図１１】
2007156517.tif 000013
【図１２】
2007156517.tif 000014